(57)【要約】      （修正有）【課題】スマートフォンを好みの傾斜角度に微調整して保持することができるとともに、垂直状態にも保持可能として写真や動画撮影を容易に行うことができるスマートフォン用スタンドを提供する。【解決手段】スマートフォン用スタンド１は、ディスプレイ面を上にしてスマートフォンの下端部が嵌挿される前後方向の凹部８を上面に有するスタンド本体２を備え、凹部８の底面の中央部には、ゴムパッド１０によりスマートフォンの下端を滑り止めして支持する前後方向の下端支持部９が設けられ、スタンド本体２の後端部には、スマートフォンの背面を支持する背面支持部１１が上向きに突設され、凹部８内の後端部には、背面支持部１１との間でスマートフォンを垂直に保持可能な挟持手段４が収容されている。【選択図】図２
0003233905.tif 000002
【実用新案登録請求の範囲】
【請求項１】
ディスプレイ面を上にしてスマートフォンの下端部が嵌挿される前後方向の凹部を上面に有するスタンド本体を備え、
前記凹部の底面の中央部には、滑り止め手段により前記スマートフォンの下端を滑り止めして支持する前後方向の下端支持部が設けられ、
前記スタンド本体の後端部には、前記スマートフォンの背面を支持する背面支持部が上向きに突設され、
前記凹部内の後端部には、前記背面支持部との間で前記スマートフォンを垂直に保持可能な挟持手段が収容されていることを特徴とするスマートフォン用スタンド。
【請求項２】
前記凹部内の前端部には、前記スマートフォンの下端部を保持して後方に移動させることができるスライダが前後方向に移動可能に収容されていることを特徴とする請求項１に記載のスマートフォン用スタンド。
【請求項３】
前記挟持手段は、前記背面支持部の前方に位置する上向きの保持板と該保持板を前記背面支持部に向かって付勢する付勢手段を備えることを特徴とする請求項１または２に記載のスマートフォン用スタンド。
【請求項４】
前記保持板には、垂直に保持された前記スマートフォンのカメラ用タッチスイッチを操作可能な開口部が形成されていることを特徴とする請求項３に記載のスマートフォン用スタンド。
【請求項５】
前記背面支持部の上面には、滑り止め手段が設けられていることを特徴とする請求項１ないし４のいずれかに記載のスマートフォン用スタンド。
【請求項６】
前記スタンド本体の前壁には、前記凹部内に連通する充電用ＵＳＢケーブルの挿通部が形成されていることを特徴とする請求項１ないし５のいずれかに記載のスマートフォン用スタンド。
【考案の詳細な説明】
【技術分野】
【０００１】
本考案は、スマートフォンを好適な位置で保持可能なスマートフォン用スタンドに関する。
【背景技術】
【０００２】
スマートフォンを操作する際は、片方の手でスマートフォンを持ち、もう一方の手でディスプレイ面を操作するのが一般的であり、操作中は片方の手が自由に使えないという問題がある。また、机やテーブル等に置いて操作すれば片方の手は自由になるが、平置きしかできないため操作がしにくいときがある。このような問題を解決するものとして、例えば特許文献１ないし３には、スマートフォン（携帯端末）を傾斜させて操作ができるようにしたスタンドが開示されている。
【先行技術文献】
【特許文献】
【０００３】
【特許文献１】実用新案登録第３２３０８６８号公報
【特許文献２】実用新案登録第３２３１７５２号公報
【特許文献３】特許５９１０８８５号公報
【考案の概要】
【考案が解決しようとする課題】
【０００４】
特許文献１に記載されているスマートフォン用スタンドにおいては、スマートフォンを一定の傾斜角度にしか保持できないので、やはり操作性に問題がある。特許文献２及び３に記載のスタンドは、スマートフォンの傾斜角度を調整できるようになってはいるが、その角度調整は段階的で大まかであるので、好みの見やすい角度や操作しやすい角度に微調整することができないという問題がある。また、特許文献１ないし３に記載のスタンドは、いずれもスマートフォンを垂直状態には保持できないので、スタンドに保持したまま写真や動画撮影を容易にできないという問題がある。
【０００５】
本考案は、このような問題点に着目してなされたもので、スマートフォンを好みの傾斜角度に微調整して保持することができるとともに、垂直状態にも保持可能として写真や動画撮影を容易に行うことができるスマートフォン用スタンドを提供することを目的とする。
【課題を解決するための手段】
【０００６】
前記課題を解決するために、本考案のスマートフォン用スタンドは、
ディスプレイ面を上にしてスマートフォンの下端部が嵌挿される前後方向の凹部を上面に有するスタンド本体を備え、
前記凹部の底面の中央部には、滑り止め手段により前記スマートフォンの下端を滑り止めして支持する前後方向の下端支持部が設けられ、
前記スタンド本体の後端部には、前記スマートフォンの背面を支持する背面支持部が上向きに突設され、
前記凹部内の後端部には、前記背面支持部との間で前記スマートフォンを垂直に保持可能な挟持手段が収容されていることを特徴としている。
この特徴によれば、スマートフォンの下端を下端支持部により支持するとともに、背面を背面支持部により支持した状態でスマートフォンを前後方向に移動させると、スマートフォンを好みの見やすい傾斜角度や操作しやすい傾斜角度に微調整することができる。また、スマートフォンの下端は滑り止め手段により滑り止めされているので、前後方向への移動を防止してスマートフォンを安定的に操作することができる。さらに、挟持手段によりスマートフォンを垂直状態に保持することができるので、手振れを防止して写真や動画撮影を行うことができる。
【０００７】
前記凹部内の前端部には、前記スマートフォンの下端部を保持して後方に移動させることができるスライダが前後方向に移動可能に収容されていることを特徴としている。
この特徴によれば、スライダによりスマートフォンの下端部を保持した状態で後方に安定的に移動させることができるとともに、スライダを後方に移動させるだけでスマートフォンに手を触れることなく傾斜角度を調整することができる。
【０００８】
前記挟持手段は、前記背面支持部の前方に位置する上向きの保持板と該保持板を前記背面支持部に向かって付勢する付勢手段を備えることを特徴としている。
この特徴によれば、背面支持部と保持板とによりスマートフォンを挟み込むだけで、付勢手段の付勢力によりスマートフォンを垂直状態に安定的に保持することができる。また、付勢手段に抗して保持板を前方に移動させるだけで、スタンド本体からスマートフォンを容易に取り外すことができる。
【０００９】
前記保持板には、垂直に保持された前記スマートフォンのカメラ用タッチスイッチを操作可能な開口部が形成されていることを特徴としている。
この特徴によれば、スマートフォンを垂直に保持したまま、開口部から指を差し込んでカメラ用タッチスイッチを操作できるので、写真や動画撮影を容易に行うことができる。
【００１０】
前記背面支持部の上面には、滑り止め手段が設けられていることを特徴としている。
この特徴によれば、前後２箇所の滑り止め手段でスマートフォンの前後方向の滑り止めがなされるので、スマートフォンをより安定した状態で操作することができる。
【００１１】
前記スタンド本体の前壁には、前記凹部内に連通する充電用ＵＳＢケーブルの挿通部が形成されていることを特徴としている。
この特徴によれば、スタンド本体にスマートフォンを置いたままの状態で充電することができる。
【図面の簡単な説明】
【００１２】
【図１】本考案の実施例１に係るスマートフォン用スタンドの分解斜視図である。
【図２】同じく組み立てた状態の斜視図である。
【図３】スマートフォンの傾斜角度が最小となるようにスマートフォン用スタンドにより支持した状態の斜視図である。
【図４】スライダを後方に移動させてスマートフォンの傾斜角度を大とした状態の斜視図である。
【図５】挟持手段によりスマートフォンを垂直に保持した状態の斜視図である。
【図６】図３に示す状態の中央縦断側面図である。
【図７】図４に示す状態の中央縦断側面図である。
【図８】図５に示す状態の中央縦断側面図である。
【図９】スライダの組付け要領を示す要部の拡大縦断面図である。
【図１０】本考案の実施例２に係るスマートフォン用スタンドの斜視図である。
【図１１】本考案の実施例３に係るスマートフォン用スタンドの斜視図である。
【考案を実施するための形態】
【００１３】
本考案のスマートフォン用スタンドを実施するための形態を実施例に基づいて以下に説明する。
【実施例１】
【００１４】
実施例１に係るスマートフォン用スタンドにつき、図１から図９を参照して説明する。なお、以下の説明においてスマートフォン用スタンド１の前後及び左右方向は、図２に示す矢印方向とする。また、スマートフォンＳ（図３参照）の上下は、受話口やカメラ等を有する側を上方側として説明し、送話口や充電用ＵＳＢポートを有する側を下方側として説明する。
【００１５】
図１及び図２に示すように、スマートフォン用スタンド１は、前後方向に長い平面視長方形のスタンド本体２と、スマートフォンＳの下端部を保持して後方に移動させるための平面視後向きコ字状のスライダ３と、スマートフォンＳを垂直に保持するための挟持手段４とを備えている。挟持手段４は、挟持部材５と、前方に開口し、挟持部材５を後方に押動させる有底円筒形の押動部材６と、後部側が押動部材６内に挿入され押動部材６を後方に付勢する付勢手段としての圧縮コイルばね７と、からなっている。押動部材６の後端部には該押動部材６よりも大径のばね受け６ａが連設されている。
【００１６】
挟持部材５は、水平の基板５ａと、その前端から背面支持部１１の前方に位置するように起立するほぼ半円形の保持板５ｂとからなり、側面視Ｌ字形をなしている。なお、スタンド本体２、スライダ３、挟持部材５及び押動部材６は合成樹脂により形成されている。保持板５ｂの上端部の中央部には、指を前方から差し込み可能な正面視Ｕ字状の開口部５ｃが形成されている。スマートフォンＳを垂直に保持した際に開口部５ｃより指を差し込んで、スマートフォンＳの下端部のカメラ用タッチスイッチを操作することができるようになっている。
【００１７】
スタンド本体２の上面には、ディスプレイ面を上にしてスマートフォンＳの下端部が収容可能な凹部８が形成されている。凹部８の底面の中央部には、スマートフォンＳの下端の中央部を支持するための前後方向に長い下端支持部９が、前端から後方寄りの中間部まで上向きに突設されている。下端支持部９の前端部は斜め下向きに傾斜している。下端支持部９の上面には、スマートフォンＳの下端を滑り止めするための滑り止め手段であるゴムパッド１０が貼着されている。なお、フェルトや起毛パッド等の滑り止め手段を用いることもできる。
【００１８】
スタンド本体２の後端部には、スマートフォンＳの背面を支持するための正面視アーチ状の背面支持部１１が上向きに一体的に連設され、背面支持部１１と凹部８間には、挟持部材５を後方から挿入可能な大きさの開放部１２が形成されている。背面支持部１１の上面の中央部には、スマートフォンＳの背面を滑り止めして支持するためのゴムパッド１０等の滑り止め手段が貼着されている。背面支持部１１に形成されているペン立て孔１３は、ボールペン等が挿入可能なペン立て孔である。
【００１９】
スタンド本体２の前壁２ａの中央部下面には、図３に示すように、充電用ＵＳＢケーブルＣを挿通するための挿通部１４が凹部８内に連通するように形成されている。スタンド本体２の左右の側壁２ｂ，２ｂの内側面には、前後方向を向くガイド溝１５，１５が前端部から中間部付近まで対向状に形成されている。このガイド溝１５にスライダ３の両側端に外向きに突設された突部３ａ、３ａを嵌挿することにより、凹部８内に収容されたスライダ３を前後方向に安定的に移動させることができる。なお、ガイド溝１５の後端がストッパとして作用するので、スライダ３の後方への最大移動量が規制される。これにより、スライダ３により後限まで移動させたスマートフォンＳがスタンド本体２から後方に落下するのが防止される。
【００２０】
スタンド本体２の前壁２ａと左右の側壁２ｂ，２ｂの前端部の内側部は、上面がガイド溝１５の底面と同一面に整合するように高さ寸法が短寸に形成されている。こうすることにより、図９に示すように、スライダ３を後下向き傾斜させた状態で凹部８内に出し入れできるとともに、左右の突部３ａ、３ａを左右のガイド溝１５に嵌挿させたり離脱させることができる。
【００２１】
左右の側壁２ｂ，２ｂの後端部の内側面には、凹部８の底面と連続する前後方向のガイド溝１６，１６が後方に開口するようにして形成されている。この両ガイド溝１６に挟持部材５の基板５ａの両側端に外向き突設された突部５ｄ，５ｄを嵌挿することにより、凹部８内に収容された挟持部材５を前後方向に移動させることができる。挟持部材５を凹部８内に組み込むには、左右の突部５ｄ，５ｄをガイド溝１６の後端から嵌合させながら背面支持部１１の下方の開放部１２の後方から挿入すればよい。なお、凹部８内に収容された挟持部材５は、左右方向に長い外れ防止板１８の下面中央の突起１８ａを、凹部８の底面の後端部中央に形成された嵌合孔１７に嵌合することにより後方に脱落するのが防止される（図６参照）。
【００２２】
図６に示すように、前記押動部材６と圧縮コイルばね７の前端部は、下端支持部９の後部に形成された後方に開口する保持孔１９に嵌挿され、圧縮コイルばね７の付勢力により保持板５ｂの前面の下部中央部が押動部材６の後端により後方に押圧されるようになっている。
【００２３】
次に、実施例１に係るスマートフォン用スタンド１の使用例について説明する。図３及び図６に示すように、最前部まで移動させたスライダ３によりディスプレイ面を上に向けたスマートフォンＳの下端部を保持するとともに、スマートフォンＳの背面を背面支持部１１により支持すると、スマートフォンＳの傾斜角度を最小としてスマートフォン用スタンド１により保持することができる。なお、この状態においてはスマートフォンＳの下端がスタンド本体２の前壁２ａに形成された挿通部１４と対向するので、挿通部１４より挿入した充電用ＵＳＢケーブルＣをスマートフォンＳの下端に形成されているＵＳＢポートに接続して充電することができる。
【００２４】
図４及び図７に示すように、スライダ３を後方に移動させるとスマートフォンＳの傾斜角度を徐々に大きくすることができる。この際、スライダ３の後方への最大移動量は、ガイド溝１５の後端のストッパ作用により規制されるので、スマートフォンＳがスタンド本体２から後方に落下することはない。なお、下端支持部９の長さの範囲内でスマートフォンＳを前後方向に移動させることでその傾斜角度を微調整することができる。
【００２５】
図５及び図８に示すように、スマートフォンＳの下端部を凹部８内に上方から挿入し、挟持部材５の保持板５ｂと背面支持部１１とにより挟持すると、圧縮コイルばね７の付勢力により保持板５ｂは後方に押圧されるので、スマートフォンＳを垂直に安定的に保持することができる。この状態で保持板５ｂに形成された開口部５ｃより指を差し込み、スマートフォンＳの下端部のカメラ用タッチスイッチを操作することができるので、写真や動画撮影を容易に行うことができる。なお、図５の２点鎖線で示すように、スマートフォンＳを横向きとして垂直に保持することもできる。
【００２６】
以上説明したように、実施例１に係るスマートフォン用スタンド１においては、スマートフォンＳの下端を下端支持部９により支持するとともに、背面を背面支持部１１により支持した状態で前後方向に移動させるだけで、スマートフォンＳを好みの見やすい傾斜角度や操作しやすい傾斜角度に微調整することができる。
【００２７】
また、スマートフォンＳは、下端と背面の前後２箇所のゴムパッド１０等の滑り止め手段により滑り止めされるので、前後方向への移動を防止してスマートフォンＳを安定的に操作することができる。
【００２８】
また、挟持手段４によりスマートフォンを垂直状態に保持することができるので、手振れを防止して写真や動画撮影を行うことができる。
【００２９】
また、スマートフォン用スタンド１をスマートフォンＳの定まった置き場所として使用できるので、スマートフォンＳの紛失や置き忘れなどを防止することができる。
【００３０】
また、スライダ３を有することにより、スマートフォンＳの下端部を保持した状態で後方に安定的に移動させることができるとともに、スライダ３を後方に移動させるだけでスマートフォンＳに手を触れることなく傾斜角度を調整することができる。
【実施例２】
【００３１】
実施例２に係るスマートフォン用スタンドにつき、図１０を参照して説明する。尚、前記実施例１と同じ構成部分については同一符号を付して重複する説明を省略する。
【００３２】
実施例２に係るスマートフォン用スタンド１は、下端支持部９の上面にゴム等からなる鋸歯状の滑り止め手段２０を貼着したものである。このような鋸歯状の滑り止め手段２０を使用しても、スマートフォンＳの傾斜角度を細かく調整することができるとともに、スマートフォンＳの下端の滑り止めを確実に行うことができる。
【実施例３】
【００３３】
実施例３に係るスマートフォン用スタンドにつき、図１１を参照して説明する。尚、前記実施例１と同じ構成部分については同一符号を付して重複する説明を省略する。
【００３４】
実施例３に係るスマートフォン用スタンド１は、凹部８の底面と挟持部材５の形状を変更したものである。すなわち、スタンド本体２の凹部８の底面を後端部付近まで正面視山形状に膨出させるとともに、保持板５ｂの上下方向の中間部に、左右のガイド溝１６及び山形状の底面に沿って前後方向に移動する基板５ａを前向きに連設したものである。スマートフォンＳの下端を支持する中央部の下端支持部９にはゴムパッド１０等の滑り止め手段が貼着されている。
【００３５】
なお、図示は省略するが、挟持部材５を後方に付勢する付勢手段は、前記実施例１と同様に、下端支持部９の後端部と保持板５ｂの下端部間に設けられている。実施例３のスマートフォン用スタンド１においては、前方を向く基板５ａが凹部８の底面に広い面積で接触しているので、スマートフォンＳを垂直状態に安定的に保持することができる。
【００３６】
以上、本考案の実施例を図面に基づいて説明してきたが、具体的な構成はこれら実施例に限られるものではなく、本考案の要旨を逸脱しない範囲内における追加や変更があっても、本考案に含まれる。
【００３７】
例えば、前記実施例では、スマートフォンＳの下端部をスライダ３により保持して後方に移動させうるようにしているが、スライダ３を省略して直接スマートフォンＳを手で移動させるようにしてもよい。この際には、スマートフォンＳの左右方向のぐらつきを防止するために、凹部８の左右幅をスマートフォンＳの左右幅とほぼ等しくすればよい。
【００３８】
また、前記実施例では、挟持手段４は押動部材６を有するものとしたが、押動部材６を省略し、圧縮コイルばね７のみで直接保持板５ｂを後方に付勢するようにしてもよい。
【符号の説明】
【００３９】
１          スマートフォン用スタンド
２          スタンド本体
３          スライダ
４          挟持手段
５          挟持部材
５ａ        基板
５ｂ        保持板
５ｃ        開口部
５ｄ        突部
６          押動部材
７          圧縮コイルばね（付勢手段）
８          凹部
９          下端支持部
１０        ゴムパッド（滑り止め手段）
１１        背面支持部
１２        開放部
２０        滑り止め手段
Ｃ          ＵＳＢケーブル
Ｓ          スマートフォン
【図１】
0003233905.tif 000003
【図２】
0003233905.tif 000004
【図３】
0003233905.tif 000005
【図４】
0003233905.tif 000006
【図５】
0003233905.tif 000007
【図６】
0003233905.tif 000008
【図７】
0003233905.tif 000009
【図８】
0003233905.tif 000010
【図９】
0003233905.tif 000011
【図１０】
0003233905.tif 000012
【図１１】
0003233905.tif 000013